(57)【要約】【課題】初心者やまだ慣れていない者等が乗馬を行う際でも、安定して足を保持して、安全に乗馬を行うことができる鐙とする。【解決手段】馬１の背に設置して騎乗者２が騎乗時に跨る乗馬鞍５に取り付け、騎乗者２の騎乗時の足４を保持する鐙１０であって、上端部２１を中心軸２２として、略鉛直方向Ｚに向かって延びる第１基本位置Ａから馬１の略前後方向Ｘに回動する第１回動機構１１を有する回動部２０と、回動部２０の下端部２３に設けられ、騎乗者２の足４を置く足置き部３０と、を有しており、第１回動機構１１に外力を加えない状態で、回動部２０が第１基本位置Ａに戻るような復元力が掛かる第１復元手段４０を有している鐙１０とした。【選択図】図２
2020141835.tif 000002
【特許請求の範囲】
【請求項１】
馬の背に設置して騎乗者が騎乗時に跨る乗馬鞍に取り付け、前記騎乗者の騎乗時の足を保持する鐙であって、
上端部を中心軸として、略鉛直方向に向かって延びる第１基本位置から前記馬の略前後方向に回動する第１回動機構を有する回動部と、
前記回動部の下端部に設けられ、前記騎乗者の前記足を置く足置き部と、
を有しており、
前記第１回動機構に外力を加えない状態で、前記回動部が前記第１基本位置に戻るような復元力が掛かる第１復元手段を有していることを特徴とする鐙。
【請求項２】
前記足置き部は、前記略鉛直方向に延びる軸を中心として第２基本位置から前記馬の略前後方向に回動する第２回動機構を有しており、かつ、前記第２回動機構に外力を加えない状態で前記足置き部が前記第２基本位置に戻るような復元力が掛かる第２復元手段を有していることを特徴とする請求項１に記載の鐙。
【請求項３】
前記足置き部は、前記馬の略左右方向に延びる軸を中心として第３基本位置から前記馬の略前後方向に回動する第３回動機構を有しており、かつ、前記第３回動機構に外力を加えない状態で前記足置き部が前記第３基本位置に戻るような復元力が掛かる第３復元手段を有していることを特徴とする請求項１又は２に記載の鐙。
【請求項４】
前記回動部をその長手方向に沿って収縮する方向に付勢する付勢手段を有しており、
前記騎乗者が前記足置き部を前記長手方向に沿って伸長する方向に押圧すると、前記回動部の所定箇所が伸長すると共に、前記付勢手段によって前記長手方向に沿って収縮する方向に付勢力が働くように構成されたことを特徴とする請求項１乃至３の何れか一項に記載の鐙。
【請求項５】
前記足置き部は、前記回動部から前記馬の略左右方向外側に設けられており、前記回動部側に跳ね上げて収納する収納機構を有していることを特徴とする請求項１乃至４の何れか一項に記載の鐙。
【請求項６】
前記回動部の前記上端部側には、前記乗馬鞍側に前記鐙を取り付ける引っ掛け部を有しており、
前記引っ掛け部が前記乗馬鞍側に複数設けられた被引っ掛け部の何れかに引っ掛けることで、前記回動部の前記略鉛直方向の取付位置を可変可能に構成されたことを特徴とする請求項１乃至５の何れか一項に記載の鐙。
【発明の詳細な説明】
【技術分野】
【０００１】
この発明は、乗馬の際に使用する乗馬鞍に取り付ける鐙に関するものである。
【背景技術】
【０００２】
従来、乗馬の際には馬の背に乗馬鞍を設置し、騎乗者はこの乗馬鞍を介して、馬に跨って乗馬を行うようになっている。また、乗馬鞍の左右には、乗馬の際に騎乗者が足を掛けておく鐙が取り付けられている（例えば、特許文献１参照）。
【先行技術文献】
【特許文献】
【０００３】
【特許文献１】特表２００４−５１２８７９号公報
【発明の概要】
【発明が解決しようとする課題】
【０００４】
しかしながら、従来の鐙は革製のベルト状の長細部材の先に足を挿入する環状の部材が取り付けられる構成となっており、馬の動きによって足がぶらぶらと安定せず、扱いが難しいものとなっていた。特に、初心者やまだ慣れていない者等が乗馬を行う際には、従来の鐙では、上手く対処できずにバランスを崩して、足が環状の部材から外れて、危険な状態となる虞もあった。
【０００５】
本発明は、このような事情に鑑みてなされたものであり、初心者やまだ慣れていない者等が乗馬を行う際でも、安定して足を保持して、安全に乗馬を行うことができる鐙を提供することを目的とする。
【課題を解決するための手段】
【０００６】
かかる課題を達成するために、請求項１に記載の発明は、馬の背に設置して騎乗者が騎乗時に跨る乗馬鞍に取り付け、前記騎乗者の騎乗時の足を保持する鐙であって、上端部を中心軸として、略鉛直方向に向かって延びる第１基本位置から前記馬の略前後方向に回動する第１回動機構を有する回動部と、前記回動部の下端部に設けられ、前記騎乗者の前記足を置く足置き部と、を有しており、前記第１回動機構に外力を加えない状態で、前記回動部が前記第１基本位置に戻るような復元力が掛かる第１復元手段を有している鐙としたことを特徴とする。
【０００７】
また、請求項２に記載の発明は、請求項１に記載の構成に加え、前記足置き部は、前記略鉛直方向に延びる軸を中心として第２基本位置から前記馬の略前後方向に回動する第２回動機構を有しており、かつ、前記第２回動機構に外力を加えない状態で前記足置き部が前記第２基本位置に戻るような復元力が掛かる第２復元手段を有している鐙としたことを特徴とする。
【０００８】
また、請求項３に記載の発明は、請求項１又は２に記載の構成に加え、前記足置き部は、前記馬の略左右方向に延びる軸を中心として第３基本位置から前記馬の略前後方向に回動する第３回動機構を有しており、かつ、前記第３回動機構に外力を加えない状態で前記足置き部が前記第３基本位置に戻るような復元力が掛かる第３復元手段を有している鐙としたことを特徴とする。
【０００９】
また、請求項４に記載の発明は、請求項１乃至３の何れか一項に記載の構成に加え、前記回動部をその長手方向に沿って収縮する方向に付勢する付勢手段を有しており、前記騎乗者が前記足置き部を前記長手方向に沿って伸長する方向に押圧すると、前記回動部の所定箇所が伸長すると共に、前記付勢手段によって前記長手方向に沿って収縮する方向に付勢力が働くように構成された鐙としたことを特徴とする。
【００１０】
また、請求項５に記載の発明は、請求項１乃至４の何れか一項に記載の構成に加え、前記足置き部は、前記回動部から前記馬の略左右方向外側に設けられており、前記回動部側に跳ね上げて収納する収納機構を有している鐙としたことを特徴とする。
【００１１】
また、請求項６に記載の発明は、請求項１乃至５の何れか一項に記載の構成に加え、前記回動部の前記上端部側には、前記乗馬鞍側に前記鐙を取り付ける引っ掛け部を有しており、前記引っ掛け部が前記乗馬鞍側に複数設けられた被引っ掛け部の何れかに引っ掛けることで、前記回動部の前記略鉛直方向の取付位置を可変可能に構成された鐙としたことを特徴とする。
【発明の効果】
【００１２】
請求項１に記載の発明によれば、第１回動機構を有する回動部と足置き部を有しており、第１回動機構に外力を加えない状態で、回動部が略鉛直方向に向かって延びる第１基本位置に戻るような復元力が掛かる第１復元手段を有しているため、初心者やまだ慣れていない者等が乗馬を行う際に、衝撃等で鐙から足が外れてしまったとしても鐙がすぐに第１基本位置に戻り、従来のように足が外れた鐙がぶらぶらと揺れ動いてしまうのと比べて、すぐに鐙に足を置き直すことができる。その結果、初心者やまだ慣れていない者等であっても、安全に乗馬を行うことができる。
【００１３】
また、請求項２に記載の発明によれば、足置き部が、略鉛直方向に延びる軸を中心として第２基本位置から回動する第２回動機構を有しているため、騎乗者の足及び足首の略水平方向のスイングにも足置き部が追随して、よりスムーズな騎乗状態を保持することができる。さらに、第２回動機構に外力を加えない状態で、足置き部が第２基本位置に戻るような復元力が掛かる第２復元手段を有しているため、初心者やまだ慣れていない者等が乗馬を行う際に、衝撃等で鐙から足が外れてしまったとしても鐙がすぐに第２基本位置にも戻るようにすることができる。そのため、より鐙に足を置き直し易くすることができ、初心者やまだ慣れていない者等であっても、より安全に乗馬を行うことができる。
【００１４】
また、請求項３に記載の発明によれば、足置き部が、馬の略左右方向に延びる軸を中心として第３基本位置から回動する第３回動機構を有しているため、騎乗者の足首の前後方向への回動にも足置き部が追随して、さらにスムーズな騎乗状態を保持することができる。また、第３回動機構に外力を加えない状態で、足置き部が第３基本位置に戻るような復元力が掛かる第３復元手段を有しているため、初心者やまだ慣れていない者等が乗馬を行う際に、衝撃等で鐙から足が外れてしまったとしても鐙がすぐに第３基本位置にも戻るようにすることができる。その結果、さらに鐙に足を置き直し易くすることができ、初心者やまだ慣れていない者等であっても、さらに安全に乗馬を行うことができる。
【００１５】
また、請求項４に記載の発明によれば、長手方向に沿って収縮する方向に付勢する付勢手段を有しており、伸長する方向への押圧に対して逆方向に収縮して戻ろうとする力が働くため、外力を加えない状態において、同じ状態を保持できる。その結果、初心者やまだ慣れていない者等であっても、動きに慣れることが容易となり、より安全に乗馬を行うことができる。
【００１６】
また、請求項５に記載の発明によれば、左右に延びている足置き部を跳ね上げて収納する収納機構を有しているため、騎乗していないときには足置き部を収納して、足置き部が障害物にぶつかって破損したり馬がダメージを受けたりぶつかった先に損害を与えたりすることを防止することができる。
【００１７】
また、請求項６に記載の発明によれば、回動部を乗馬鞍側に引っ掛けて取り付けるようになっており、かつ、引っ掛ける位置を複数の被引っ掛け部のいずれかに選択するようになっていることで、鐙を簡単に取り付けることができると共に、簡単に騎乗者の適正な位置に取付位置を変更することができる。
【図面の簡単な説明】
【００１８】
【図１】この発明の実施の形態に係る鐙を取り付けた乗馬鞍を設置した馬に騎乗者が乗馬した状態を示す側面図である。
【図２】馬の背に同実施の形態に係る鐙を取り付けた乗馬鞍を設置した状態を示す側面図である。
【図３】同実施の形態に係る鐙の第１回動機構を示す拡大説明図である。
【図４】同実施の形態に係る鐙の収納機構を示す拡大説明図である。
【図５】同実施の形態に係る鐙の第２回動機構を示す拡大説明図である。
【図６】同実施の形態に係る鐙の第３回動機構を示す拡大説明図である。
【発明を実施するための形態】
【００１９】
以下、この発明の実施の形態について説明する。
【００２０】
図１〜図６には、この発明の実施の形態を示す。
【００２１】
まず、本実施の形態の乗馬鞍５について、図１及び図２を用いて説明する。
【００２２】
本実施の形態の乗馬鞍５は、図２に示すように、馬１の背に設置されて、当該状態の馬１に、図１に示すように、騎乗者２が騎乗するものである。なお、以下では、騎乗者２が騎乗時に着座する部位を乗馬鞍５と称し、騎乗者２が騎乗時に足４を保持する部位を鐙１０と称するものとする。
【００２３】
この乗馬鞍５は、鞍骨６の上からシート７を配設した構成となっており、鞍骨６の左右の取付部６Ａには、本実施の形態の鐙１０が取り付けられている。なお、ここでは、取付部６Ａを覆う所謂「小あふり」等の一部の部材については図示と説明を省略している。
【００２４】
この鞍骨６は、木、プラスチック、グラスファイバー等の固く、かつ、多少のしなりを生じさせることが可能な材質で構成され、馬１の背に沿った形状に形成されている。本実施の形態の鞍骨６は、馬１の背の左右両側を前後方向に延びる一対の側骨部（図示省略）と、側骨部同士を前側で馬１の背に沿って繋ぐように形成された前骨部（図示省略）と、側骨部同士を後側で馬１の背に沿って繋ぐように形成された後骨部（図示省略）とを有している。
【００２５】
また、この鞍骨６には、乗馬鞍５を馬１に取り付けるための腹帯８が取り付けられている。この腹帯８は、鞍骨６の左右の所定位置に取り付けられて、馬１の腹側を通すようになっており、図示しない締付部材で締め付けることで乗馬鞍５を馬１に固定するようになっている。
【００２６】
また、シート７は、鞍骨６の上に被せて騎乗者２の騎乗部３を形成するものであり、表面は例えば革等で構成されている。このシート７と一体化して馬１の左右に垂れ下がるあおり革９が設けられており、腹帯８を覆うように設けられる。
【００２７】
次に、本実施の形態の鐙１０について、図１〜図６を用いて説明する。
【００２８】
この鐙１０は、騎乗者２が騎乗時に足４を置いて保持するものである。本実施の形態では、図２に示すように、鞍骨６に取り付けられており、革や樹脂や金属等で構成されている。なお、この実施の形態では、鞍骨６の左右側方の取付部６Ａから下方に垂下するように設けられているが、これに限るものではなく、シート７の一部から下方に垂下するように設けられていても良い。
【００２９】
また、本実施の形態の鐙１０は、図２及び図３に示すように、回動部２０と足置き部３０と接続部５０とを有する構成となっている。また、鐙１０には、図２〜図６に示すように、第１回動機構１１と第２回動機構１２と第３回動機構１３と収納機構１４と第１復元手段４０と第２復元手段６０と第３復元手段としてのウェイト部３２を有している。
【００３０】
このうち、接続部５０は、図２に示すように、長細形状の部材で、その上端部５２が鞍骨６の取付部６Ａに取り付けられており、下端部５３に回動部２０が取り付けられるようになっている。また、本実施の形態では、接続部５０は下端部５３付近であおり革９にも固定されており、取付部６Ａとあおり革９の２箇所への固定により、略鉛直方向Ｚに延びて乗馬鞍５に対して動かないように構成されている。なお、従来の鐙のような風に揺れるような柔らかい材質ではなく、略鉛直方向Ｚへの直線形状を保持できるように、樹脂又は金属等の剛性を有する部材で構成しておくか、革等でも分厚く形成される等により剛性を有するように形成しておけば、取付部６Ａへの取り付けのみであおり革９への固定はなくても揺れない構成となる場合もある。
【００３１】
また、図３に示すように、この接続部５０の表面側（左右外側）には、後述する回動部２０の引っ掛け部２６を引っ掛けて保持するための被引っ掛け部５１が形成されている。この被引っ掛け部５１は、略鉛直方向Ｚに複数形成されており、どの位置でも回動部２０の引っ掛け部２６が引っ掛けられるようになっており、回動部２０の略鉛直方向Ｚの取付位置を可変可能となっている。
【００３２】
また、回動部２０は、図３に示すように、接続部５０の下端部５３に対して、その上端部２１が保持されるようになっており、当該上端部２１に設けられた中心軸としての第１軸２２を中心として、図３の実線で記載された略鉛直方向Ｚに向かって延びる第１基本位置Ａから、図３の二点鎖線で記載された馬１の略前後方向Ｘに回動する第１回動機構１１が設けられている。
【００３３】
なお、本実施の形態では、前記したように接続部５０の下端部５３付近に略鉛直方向Ｚに沿って被引っ掛け部５１が形成されており、これに回動部２０の上端部２１に形成された引っ掛け部２６を引っ掛けることで、回動部２０を接続部５０に保持するようになっている。
【００３４】
また、本実施の形態では、引っ掛け部２６と第１軸２２の位置が一致しているため、第１回動機構１１は第１軸２２を中心として回動部２０全体が回動するようになっている。これに対し、引っ掛け部２６の下方に第１軸２２が位置している等、引っ掛け部２６と第１軸２２の位置が一致していないときには、引っ掛け部２６は回動せずに引っ掛け部２６より下部が第１回動機構１１として第１軸２２を中心に折れ曲がって当該下部だけが回動するようになる。
【００３５】
また、回動部２０には、図３及び図４に示すように、第１復元手段４０を有している。この第１復元手段４０は、回動部２０を回動させた後で、足４を足置き部３０から外して騎乗者２の力（外力）が第１回動機構１１に加わらない状態となったときに、ばね等の力で回動部２０の位置を略鉛直方向Ｚに向かって延びる第１基本位置Ａに戻すようにするものである。ここでは、第１軸２２の周囲にばねが巻き付けられており、このばねが第１基本位置Ａに戻る方向に回動部２０を回動させるように付勢している。そして、第１基本位置Ａ以外の位置で外力が加わらない状態となったときには、その付勢力によって回動部２０が第１基本位置Ａに戻って停止するようになっている。
【００３６】
また、図３及び図４に示すように、回動部２０の上端部２１と下端部２３の間の所定箇所には、回動部２０を長手方向Ｗに沿って略下方に押圧されたときに略上方に付勢して元の状態に戻そうとする、ばねやゴム等の弾性部材で構成される付勢手段２５を有している。これにより、騎乗者２が足置き部３０を回動部２０の長手方向Ｗに沿って回動部２０が伸長する方向に押圧すると、回動部２０の所定箇所としての付勢手段２５が伸長すると共に、付勢手段２５の付勢力によって回動部２０の長手方向Ｗに沿って回動部２０が収縮する方向に引っ張られ、騎乗者２が足４を足置き部３０から外して外力が加わらない状態となったときに、当該付勢力により、回動部２０が収縮して元の状態に戻るようになっている。
【００３７】
また、足置き部３０は、図３及び図６に示すように、表面側に騎乗者２の足を置く足置き板３１を有し、裏面側には断面視略三角形状に突出した第３復元手段としてのウェイト部３２を有する構成となっている。この表面側の足置き板３１の表面は滑り止めの凹凸加工がなされている。
【００３８】
さらに、足置き部３０は、図５及び図６に示すように、馬１の左右方向Ｙの外側に突出して延びる第３軸３３を中心として回動可能に構成される第３回動機構１３を有している。これにより、図６に示すように、足置き部３０が略鉛直方向Ｚに回動するようになっており、足首の縦方向の動きに追随して動くようになっている。
【００３９】
また、裏面側のウェイト部３２は、その自重により外力を加えない状態となると、ウェイト部３２が略鉛直方向Ｚの下向きとなって足置き板３１が上向きの略水平状態となる第３基本位置Ｃに戻って停止するように構成されている。
【００４０】
また、この足置き部３０は、図４に示すように、回動部２０から馬１の略左右方向Ｙの外側に突出するように設けられている。また、足置き部３０は、図５に示すように、略鉛直方向Ｚに延びる第２軸２４を中心として回動可能に構成される第２回動機構１２を有している。これにより、図５に示すように、足置き部３０が略水平に馬１の略前後方向Ｘに回動するようになっており、足首の横方向の動きに追随して動くようになっている。
【００４１】
また、足置き部３０には、図５に示すように、第２復元手段６０を有している。この第２復元手段６０は、足置き部３０を第２回動機構１２で回動させた後で、足４を足置き部３０から外して騎乗者２の力（外力）が第２回動機構１２に加わらない状態となったときに、ばね等の力で足置き部３０の位置を馬１の略左右方向Ｙの外側に向かう方向となる第２基本位置Ｂに戻すようにするものである。ここでは、第１復元手段４０と同様に、第２軸２４の周囲にばねが巻き付けられており、このばねが第２基本位置Ｂに戻る方向に足置き部３０を回動させるように付勢している。そして、第２基本位置Ｂ以外の位置で外力が加わらない状態となったときには、その付勢力によって足置き部３０が第２基本位置Ｂに戻って停止するようになっている。
【００４２】
また、足置き部３０は、図４に示すように、収納機構１４を有しており、足置き部３０を回動部２０側に跳ね上げて収納可能となっている。具体的には、図４及び図５に示すように、足置き部３０と回動部２０の間に上方向に折れ曲がる折曲部３５を備えており、ここで上方向に折り曲げて足置き部３０を跳ね上げて収納するようになっている。
【００４３】
このように、第１回動機構１１、第２回動機構１２、第３回動機構１３によって騎乗者２の足の動きに応じて鐙１０を所定の方向に回動させることができ、騎乗時の複雑な足４の動きに追随して足置き部３０を動かすことができる。また、第１回動機構１１，第２回動機構１２，第３回動機構１３を動かした後に外力を掛けない状態にすると第１復元手段４０，第２復元手段６０，第３復元手段としてのウェイト部３２によって第１基本位置Ａ，第２基本位置Ｂ，第３基本位置Ｃに戻るようになっているため、足置き部３０から足を踏み外したときでも、鐙１０がぶらぶらと動かず、第１基本位置Ａ，第２基本位置Ｂ，第３基本位置Ｃに戻った足置き部３０に再び足を置き直すことができる。また、騎乗しないときには、収納機構１４で足置き部３０を跳ね上げて収納することができるので、鐙１０を障害物にぶつけて馬や馬具や障害物を傷付けることを防止することができる。
【００４４】
以上のように、本実施の形態の鐙１０によれば、第１回動機構１１を有する回動部２０と足置き部３０を有しており、第１回動機構１１に外力を加えない状態で、回動部２０が略鉛直方向Ｚに向かって延びる第１基本位置Ａに戻るような復元力が掛かる第１復元手段４０を有しているため、初心者やまだ慣れていない者等が乗馬を行う際に、衝撃等で鐙１０から足４が外れてしまったとしても鐙１０がすぐに第１基本位置Ａに戻り、従来のように足４が外れた鐙１０がぶらぶらと揺れ動いてしまうのと比べて、すぐに鐙１０に足４を置き直すことができる。その結果、初心者やまだ慣れていない者等であっても、安全に乗馬を行うことができる。
【００４５】
また、本実施の形態では、足置き部３０が、略鉛直方向Ｚに延びる第２軸２４を中心として第２基本位置Ｂから回動する第２回動機構１２を有しているため、騎乗者２の足４及び足首の略水平方向のスイングにも足置き部３０が追随して、よりスムーズな騎乗状態を保持することができる。さらに、第２回動機構１２に外力を加えない状態で、足置き部３０が第２基本位置Ｂに戻るような復元力が掛かる第２復元手段６０を有しているため、初心者やまだ慣れていない者等が乗馬を行う際に、衝撃等で鐙１０から足４が外れてしまったとしても鐙１０がすぐに第２基本位置Ｂにも戻るようにすることができる。そのため、より鐙１０に足４を置き直し易くすることができ、初心者やまだ慣れていない者等であっても、より安全に乗馬を行うことができる。
【００４６】
また、本実施の形態では、足置き部３０が、馬の略左右方向Ｙに延びる第３軸３３を中心として第３基本位置Ｃから回動する第３回動機構１３を有しているため、騎乗者２の足首の前後方向への回動にも足置き部３０が追随して、さらにスムーズな騎乗状態を保持することができる。また、第３回動機構１３に外力を加えない状態で、足置き部３０が第３基本位置Ｃに戻るような復元力が掛かる第３復元手段としてのウェイト部３２を有しているため、初心者やまだ慣れていない者等が乗馬を行う際に、衝撃等で鐙１０から足４が外れてしまったとしても鐙１０がすぐに第３基本位置Ｃにも戻るようにすることができる。その結果、さらに鐙１０に足４を置き直し易くすることができ、初心者やまだ慣れていない者等であっても、さらに安全に乗馬を行うことができる。
【００４７】
また、本実施の形態では、長手方向Ｗに沿って収縮する方向（主に上方向）に付勢する付勢手段２５を有しており、伸長する方向（主に下方向）への押圧に対して逆方向（収縮する方向）に収縮して戻ろうとする力が働くため、外力を加えない状態において、同じ状態を保持できる。その結果、初心者やまだ慣れていない者等であっても、動きに慣れることが容易となり、より安全に乗馬を行うことができる。
【００４８】
また、本実施の形態では、左右に延びている足置き部３０を跳ね上げて収納する収納機構１４を有しているため、騎乗していないときには足置き部３０を収納して、足置き部３０が障害物にぶつかって破損したり馬１がダメージを受けたりぶつかった先に損害を与えたりすることを防止することができる。
【００４９】
また、本実施の形態では、回動部２０を乗馬鞍５側に引っ掛けて取り付けるようになっており、かつ、引っ掛ける位置を複数の被引っ掛け部５１のいずれかに選択するようになっていることで、鐙１０を簡単に取り付けることができると共に、簡単に騎乗者２の適正な位置に取付位置を変更することができる。
【００５０】
なお、以上説明した実施の形態は、本発明の理解を容易にするために記載されたものであって、本発明を限定するために記載されたものではない。
【００５１】
例えば、前記した実施の形態では、第１回動機構１１、第２回動機構１２、第３回動機構１３、収納機構１４、第１復元手段４０、第２復元手段６０、第３復元手段としてのウェイト部３２の全ての構成を有する鐙１０について説明したが、これに限るものではなく、少なくとも第１回動機構１１と第１復元手段４０を有していれば、他の機構の有無は適宜となっていても良い。
【００５２】
また、前記した実施の形態では、回動部２０の引っ掛け部２６が、接続部５０の略鉛直方向Ｚに複数形成された被引っ掛け部５１のいずれかに引っ掛けられることで回動部２０が接続部５０に保持されると共に簡単に回動部２０の位置を変更できるようになっていたが、これに限るものではなく、簡単に保持して位置変更ができるようになっていれば他の構造で回動部が接続部に保持されるようになっていても良い。また、他の調整機構を有していれば、引っ掛け部と被引っ掛け部による保持構造を有していなくても良く、接続部と回動部が位置変更無しで固定して保持される構造となっていても良い。
【００５３】
また、前記した実施の形態では、第１復元手段４０と第２復元手段６０が、ばね等による付勢力（弾性力）を基にして回動部２０と足置き部３０が第１基本位置Ａと第２基本位置Ｂに戻る構成となっていたが、これに限るものではなく、ばね以外の例えば重りによる重力で基本位置に戻る構成等、他の力で基本位置に回動部が戻るようになっていても良い。また、第３復元手段（ウェイト部）３２は、重りによって第３基本位置Ｃに戻る構成となっていたが、これに限るものではなく、第１復元手段４０等と同様に、重り以外のばね等の付勢力を基にして第３基本位置Ｃに戻る構成となっていても良い。
【００５４】
また、前記した実施の形態では、第１軸２２を中心として回動する第１回動機構１１において第１復元手段４０を有しており、回動部２０が第１基本位置Ａに戻る構造となっており、第２軸２４を中心として回動する第２回動機構１２において第２復元手段６０を有しており、足置き部３０が第２基本位置Ｂに戻る構造となっており、第３軸３３を中心として回動する第３回動機構１３において第３復元手段３２を有しており、足置き部３０が第３基本位置Ｃに戻る構造となっていたが、これに限るものではなく、第２回動機構１２と第３回動機構１３については、ばねや重り等による復元手段を有しておらず、外力が掛からない場合でも、中央位置等の基本位置に戻る構成となっていない場合があっても良い。
【００５５】
また、前記した実施の形態では、所謂通常の乗馬鞍にこの鐙１０を適用したが、下記の様な乗馬鞍にこの鐙１０を適用すれば、より安全に乗馬を行うことができるものである。  例えば、鞍骨６は、木、プラスチック、グラスファイバー等の固く、かつ、多少のしなりを生じさせることが可能な材質で構成され、馬１の背に沿った形状に形成されている。鞍骨６は、馬１の背の左右両側を前後方向に延びる一対の側骨部（図示省略）と、側骨部同士を前側で馬１の背に沿って繋ぐように形成された前骨部（図示省略）と、側骨部同士を後側で馬１の背に沿って繋ぐように形成された後骨部（図示省略）とを有している。また、側骨部同士を前後方向の中間位置で繋ぐ中間骨部（図示省略）を有している。
【００５６】
また、本実施の形態の鞍骨６には、例えばコイルスプリング等の弾性部材が１又は複数配設されていて、所定の弾性力をもってシート７を付勢して支持するように構成されている。
【００５７】
また、シート７は、鞍骨６の上に被せて騎乗者２の騎乗部３を形成するものであり、表面は例えば革等で構成されている。また、内部や裏面にはクッション性を有する部材、例えばウレタン樹脂等を有する構成となっていても良い。
【００５８】
また、このシート７の裏面には、弾性部材が当接して支持可能な剛性を有する部位が設けられている。これにより、シート７に座った騎乗者２の重みで、シート７を介して弾性部材が押圧され、押圧力に抗して下方に縮むようになっている。そして、当該状態の弾性部材は、馬１等から衝撃が生じたときに、上下方向に力を吸収して逃がし、騎乗者２が衝撃を受けない又は衝撃を緩和した状態にするように構成されている。
【００５９】
なお、シート７の前後には、スカート部（図示省略）が設けており、シート７と鞍骨６の間の隙間で手を挟まないように当該隙間を埋めるように構成されている。
【符号の説明】
【００６０】
１  馬
２  騎乗者
３  騎乗部
４  足
５  乗馬鞍
６  鞍骨
６Ａ  取付部
７  シート
８  腹帯
９  あおり革
１０  鐙
１１  第１回動機構
１２  第２回動機構
１３  第３回動機構
１４  収納機構
２０  回動部
２１  上端部
２２  第１軸（中心軸）
２３  下端部
２４  第２軸（軸）
２５  付勢手段
２６  引っ掛け部
３０  足置き部
３１  足置き板
３２  ウェイト部（第３復元手段）
３３  第３軸（軸）
３５  折曲部
４０  第１復元手段
５０  接続部
５１  被引っ掛け部
５２  上端部
５３  下端部
６０  第２復元手段
Ａ  第１基本位置
Ｂ  第２基本位置
Ｃ  第３基本位置
Ｗ  長手方向
Ｘ  馬の略前後方向
Ｙ  馬の略左右方向
Ｚ  略鉛直方向
【図１】
2020141835.tif 000003
【図２】
2020141835.tif 000004
【図３】
2020141835.tif 000005
【図４】
2020141835.tif 000006
【図５】
2020141835.tif 000007
【図６】
2020141835.tif 000008
【手続補正書】
【提出日】令和1年6月28日(2019.6.28)
【手続補正１】
【補正対象書類名】特許請求の範囲
【補正対象項目名】請求項１
【補正方法】変更
【補正の内容】
【請求項１】
馬の背に設置して騎乗者が騎乗時に跨る乗馬鞍に取り付け、前記騎乗者の騎乗時の足を保持する鐙であって、
上端部を中心軸として、略鉛直方向に向かって延びる第１基本位置から前記馬の略前後方向に回動する第１回動機構を有する回動部と、
前記回動部の下端部に設けられ、前記騎乗者の前記足を置く足置き部と、
を有しており、
前記第１回動機構に外力を加えない状態で、前記回動部が前記第１基本位置に戻る方向の復元力が掛かる第１復元手段を有していることを特徴とする鐙。
【手続補正２】
【補正対象書類名】特許請求の範囲
【補正対象項目名】請求項２
【補正方法】変更
【補正の内容】
【請求項２】
前記足置き部は、前記略鉛直方向に延びる軸を中心として第２基本位置から前記馬の略前後方向に回動する第２回動機構を有しており、かつ、前記第２回動機構に外力を加えない状態で前記足置き部が前記第２基本位置に戻る方向の復元力が掛かる第２復元手段を有していることを特徴とする請求項１に記載の鐙。
【手続補正３】
【補正対象書類名】特許請求の範囲
【補正対象項目名】請求項３
【補正方法】変更
【補正の内容】
【請求項３】
前記足置き部は、前記馬の略左右方向に延びる軸を中心として第３基本位置から前記馬の略前後方向に回動する第３回動機構を有しており、かつ、前記第３回動機構に外力を加えない状態で前記足置き部が前記第３基本位置に戻る方向の復元力が掛かる第３復元手段を有していることを特徴とする請求項１又は２に記載の鐙。
【手続補正４】
【補正対象書類名】明細書
【補正対象項目名】０００６
【補正方法】変更
【補正の内容】
【０００６】
かかる課題を達成するために、請求項１に記載の発明は、馬の背に設置して騎乗者が騎乗時に跨る乗馬鞍に取り付け、前記騎乗者の騎乗時の足を保持する鐙であって、上端部を中心軸として、略鉛直方向に向かって延びる第１基本位置から前記馬の略前後方向に回動する第１回動機構を有する回動部と、前記回動部の下端部に設けられ、前記騎乗者の前記足を置く足置き部と、を有しており、前記第１回動機構に外力を加えない状態で、前記回動部が前記第１基本位置に戻る方向の復元力が掛かる第１復元手段を有している鐙としたことを特徴とする。
【手続補正５】
【補正対象書類名】明細書
【補正対象項目名】０００７
【補正方法】変更
【補正の内容】
【０００７】
また、請求項２に記載の発明は、請求項１に記載の構成に加え、前記足置き部は、前記略鉛直方向に延びる軸を中心として第２基本位置から前記馬の略前後方向に回動する第２回動機構を有しており、かつ、前記第２回動機構に外力を加えない状態で前記足置き部が前記第２基本位置に戻る方向の復元力が掛かる第２復元手段を有している鐙としたことを特徴とする。
【手続補正６】
【補正対象書類名】明細書
【補正対象項目名】０００８
【補正方法】変更
【補正の内容】
【０００８】
また、請求項３に記載の発明は、請求項１又は２に記載の構成に加え、前記足置き部は、前記馬の略左右方向に延びる軸を中心として第３基本位置から前記馬の略前後方向に回動する第３回動機構を有しており、かつ、前記第３回動機構に外力を加えない状態で前記足置き部が前記第３基本位置に戻る方向の復元力が掛かる第３復元手段を有している鐙としたことを特徴とする。
【手続補正７】
【補正対象書類名】明細書
【補正対象項目名】００１２
【補正方法】変更
【補正の内容】
【００１２】
請求項１に記載の発明によれば、第１回動機構を有する回動部と足置き部を有しており、第１回動機構に外力を加えない状態で、回動部が略鉛直方向に向かって延びる第１基本位置に戻る方向の復元力が掛かる第１復元手段を有しているため、初心者やまだ慣れていない者等が乗馬を行う際に、衝撃等で鐙から足が外れてしまったとしても鐙がすぐに第１基本位置に戻り、従来のように足が外れた鐙がぶらぶらと揺れ動いてしまうのと比べて、すぐに鐙に足を置き直すことができる。その結果、初心者やまだ慣れていない者等であっても、安全に乗馬を行うことができる。
【手続補正８】
【補正対象書類名】明細書
【補正対象項目名】００１３
【補正方法】変更
【補正の内容】
【００１３】
また、請求項２に記載の発明によれば、足置き部が、略鉛直方向に延びる軸を中心として第２基本位置から回動する第２回動機構を有しているため、騎乗者の足及び足首の略水平方向のスイングにも足置き部が追随して、よりスムーズな騎乗状態を保持することができる。さらに、第２回動機構に外力を加えない状態で、足置き部が第２基本位置に戻る方向の復元力が掛かる第２復元手段を有しているため、初心者やまだ慣れていない者等が乗馬を行う際に、衝撃等で鐙から足が外れてしまったとしても鐙がすぐに第２基本位置にも戻るようにすることができる。そのため、より鐙に足を置き直し易くすることができ、初心者やまだ慣れていない者等であっても、より安全に乗馬を行うことができる。
【手続補正９】
【補正対象書類名】明細書
【補正対象項目名】００１４
【補正方法】変更
【補正の内容】
【００１４】
また、請求項３に記載の発明によれば、足置き部が、馬の略左右方向に延びる軸を中心として第３基本位置から回動する第３回動機構を有しているため、騎乗者の足首の前後方向への回動にも足置き部が追随して、さらにスムーズな騎乗状態を保持することができる。また、第３回動機構に外力を加えない状態で、足置き部が第３基本位置に戻る方向の復元力が掛かる第３復元手段を有しているため、初心者やまだ慣れていない者等が乗馬を行う際に、衝撃等で鐙から足が外れてしまったとしても鐙がすぐに第３基本位置にも戻るようにすることができる。その結果、さらに鐙に足を置き直し易くすることができ、初心者やまだ慣れていない者等であっても、さらに安全に乗馬を行うことができる。
【手続補正１０】
【補正対象書類名】明細書
【補正対象項目名】００４４
【補正方法】変更
【補正の内容】
【００４４】
以上のように、本実施の形態の鐙１０によれば、第１回動機構１１を有する回動部２０と足置き部３０を有しており、第１回動機構１１に外力を加えない状態で、回動部２０が略鉛直方向Ｚに向かって延びる第１基本位置Ａに戻る方向の復元力が掛かる第１復元手段４０を有しているため、初心者やまだ慣れていない者等が乗馬を行う際に、衝撃等で鐙１０から足４が外れてしまったとしても鐙１０がすぐに第１基本位置Ａに戻り、従来のように足４が外れた鐙１０がぶらぶらと揺れ動いてしまうのと比べて、すぐに鐙１０に足４を置き直すことができる。その結果、初心者やまだ慣れていない者等であっても、安全に乗馬を行うことができる。
【手続補正１１】
【補正対象書類名】明細書
【補正対象項目名】００４５
【補正方法】変更
【補正の内容】
【００４５】
また、本実施の形態では、足置き部３０が、略鉛直方向Ｚに延びる第２軸２４を中心として第２基本位置Ｂから回動する第２回動機構１２を有しているため、騎乗者２の足４及び足首の略水平方向のスイングにも足置き部３０が追随して、よりスムーズな騎乗状態を保持することができる。さらに、第２回動機構１２に外力を加えない状態で、足置き部３０が第２基本位置Ｂに戻る方向の復元力が掛かる第２復元手段６０を有しているため、初心者やまだ慣れていない者等が乗馬を行う際に、衝撃等で鐙１０から足４が外れてしまったとしても鐙１０がすぐに第２基本位置Ｂにも戻るようにすることができる。そのため、より鐙１０に足４を置き直し易くすることができ、初心者やまだ慣れていない者等であっても、より安全に乗馬を行うことができる。
【手続補正１２】
【補正対象書類名】明細書
【補正対象項目名】００４６
【補正方法】変更
【補正の内容】
【００４６】
また、本実施の形態では、足置き部３０が、馬の略左右方向Ｙに延びる第３軸３３を中心として第３基本位置Ｃから回動する第３回動機構１３を有しているため、騎乗者２の足首の前後方向への回動にも足置き部３０が追随して、さらにスムーズな騎乗状態を保持することができる。また、第３回動機構１３に外力を加えない状態で、足置き部３０が第３基本位置Ｃに戻る方向の復元力が掛かる第３復元手段としてのウェイト部３２を有しているため、初心者やまだ慣れていない者等が乗馬を行う際に、衝撃等で鐙１０から足４が外れてしまったとしても鐙１０がすぐに第３基本位置Ｃにも戻るようにすることができる。その結果、さらに鐙１０に足４を置き直し易くすることができ、初心者やまだ慣れていない者等であっても、さらに安全に乗馬を行うことができる。